(57)【要約】【課題】気密性と防音性とを更に高めることができるダウンライトを提供する。【解決手段】ダウンライト１は、略椀状に形成され、内部にランプが配置される器具本体２と、器具本体２に設けられた孔部を挿通させたランプが装着されるソケット部４と、ソケット部４から器具本体２の孔部との間でランプを収納する略円筒形のパッキン部６と、器具本体２の内側に設けられ、ランプをソケット部４へ装着させるために、ランプを挿通させるための孔部が設けられた略椀状の反射体とを備えている。この器具本体２には、孔部の開口縁部の周囲部分をソケット部４の方向に隆起させた突設部２５が形成されている。突設部２５が、頭頂部２１から下端２３に向かうに従って徐々に隆起する度合いが小さく形成されていることで、パッキン部６の開口縁部と当接する孔部の周縁部が、パッキン部６の開口縁部に対向した平坦面に形成されている。【選択図】図１
0003156710.tif 000002
【実用新案登録請求の範囲】
【請求項１】
略椀状に形成され、内部にランプが配置される外装体と、
前記外装体に設けられた孔部を挿通させたランプが装着されるソケット部と、
前記ソケット部から前記外装体の孔部との間で前記ランプを収納する略円筒形のパッキン部と備え、
前記外装体には、前記孔部の開口縁部の周囲部分を前記ソケット部の方向に隆起させた突設部が形成され、
前記突設部が、頭頂部から下端に向かうに従って徐々に隆起する度合いが小さく形成されていることで、前記パッキン部の開口縁部と当接する前記孔部の周縁部が該開口縁部に対向した平坦面に形成されていることを特徴とするダウンライト。
【請求項２】
前記孔部の周縁部は、前記孔部の内径方向または外径方向に所定幅を突出させている請求項１記載のダウンライト。
【請求項３】
前記パッキン部の前記開口縁部は、開口部の内径方向または外径方向に所定幅を突出させている請求項１または２記載のダウンライト。
【請求項４】
前記孔部の周縁部には、前記パッキン部の開口縁部の内側面に内接する周壁部が立設されている請求項１から３のいずれかの項に記載のダウンライト。
【請求項５】
前記外装体は、器具本体であり、
前記外装体の内側には、前記ランプを前記ソケット部へ装着させるために、前記ランプを挿通させるための孔部が設けられた略椀状の反射体が設けられている請求項１から４のいずれかの項に記載のダウンライト。
【考案の詳細な説明】
【技術分野】
【０００１】
本考案は、天井に埋設されるダウンライトに関するものである。
【背景技術】
【０００２】
ダウンライトは、本体が天井に埋設され、ランプが天井の開口から室内を臨むため、ランプの熱や室内の騒音を天井裏へ伝えないように、防音性および気密性を確保する必要がある。
例えば、特許文献１には、一端側の円筒部でソケット部を密着して内装すると共に、他端側の収納部でランプのベース部を内装するソフトパッキンの収納部の開口縁部が、反射板の孔部の周縁部に密着することにより、気密性が確保できると共に、ランプの装着性が改善できるダウンライトが記載されている。
【先行技術文献】
【特許文献】
【０００３】
【特許文献１】特開２００５−２８５３６２号公報
【考案の概要】
【考案が解決しようとする課題】
【０００４】
しかし、この特許文献１に記載のダウンライトでは、ソフトパッキンの開口縁部が反射板に設けられた孔部の周縁部に密着するとあるが、反射板は釣鐘形状（略椀状）に形成されているため、ソフトパッキンが接する面は曲面であり、孔部の周縁部は３次元的な曲線形状となるため、密着性の確保が難しいものと思われる。
従って、特許文献１に記載のダウンライトは、ランプの熱や、室内の騒音が、ソフトパッキンと反射板との間の隙間から漏れるおそれがある。
【０００５】
そこで本考案は、気密性と防音性とを更に高めることができるダウンライトを提供することを目的とする。
【課題を解決するための手段】
【０００６】
本考案のダウンライトは、略椀状に形成され、内部にランプが配置される外装体と、前記外装体に設けられた孔部を挿通させたランプが装着されるソケット部と、前記ソケット部から前記外装体の孔部との間で前記ランプを収納する略円筒形のパッキン部と備え、前記外装体には、前記孔部の開口縁部の周囲部分を前記ソケット部の方向に隆起させた突設部が形成され、前記突設部が、頭頂部から下端に向かうに従って徐々に隆起する度合いが小さく形成されていることで、前記パッキン部の開口縁部と当接する前記孔部の周縁部が該開口縁部に対向した平坦面に形成されていることを特徴とする。
【０００７】
本考案のダウンライトの構成によれば、外装体に孔部の周縁部の周囲部分をソケット部の方向に、頭頂部から下端に向かうに従って徐々に隆起する度合いが小さくなるように隆起させた突設部が形成されていることにより、略椀状に形成された外装体であっても、孔部の周縁部がパッキン部の開口縁部に対向した平坦面とすることができる。従って、パッキン部の開口縁部を複雑な形状としなくても、外装体の孔部の周縁部をパッキン部の開口縁部と当接させたときに密着させることができる。
【０００８】
前記孔部の周縁部が、前記孔部の内径方向または外径方向に所定幅を突出させていると、孔部の周縁部を幅広くパッキン部の開口縁部に当接させることができるので、より密着性を高めることができる。
【０００９】
前記パッキン部の前記開口縁部は、開口部の内径方向または外径方向に所定幅を突出させていると、パッキン部の開口縁部を幅広く孔部の周縁部に当接させることができるので、更に密着性を高めることができる。
【００１０】
前記孔部の周縁部には、前記パッキン部の開口縁部の内側面に内接する周壁部が立設されているのが望ましい。周壁部がパッキン部の開口縁部の内側面に内接することで、密着性や防音性を高めることができるだけでなく、パッキン部の横ずれを抑止して隙間ができることを防止することができる。
【００１１】
前記外装体は、器具本体であり、前記外装体の内側には、前記ランプを前記ソケットへ装着させるために、前記ランプを挿通させるための孔部が設けられた略椀状の反射体が設けられるのが望ましい。外装体である器具本体に突設部が設けられていても、反射体が別に外装体の内側に設けられているので、ランプからの光を所望する配光特性で反射させることができる。
【考案の効果】
【００１２】
本考案は、略椀状に形成された外装体であっても、突設部をパッキン部の開口縁部の開口形状に対応させることができるので、外装体の孔部の周縁部と、パッキン部の開口縁部とを密着させることができる。従って、本考案は、気密性と防音性とを更に高めることができる。
【図面の簡単な説明】
【００１３】
【図１】本考案の実施の形態に係るダインライトを示す斜視図である。
【図２】図１のダウンライトの断面図である。
【図３】図１のダウンライトの分解斜視図である。
【図４】図１のダウンライトのパッキング部を示す斜視図である。
【図５】図１のダウンライトの設置を説明するための図である。
【考案を実施するための形態】
【００１４】
本考案の実施の形態に係るダウンライトを図面に基づいて説明する。
図１から図３に示すようにダウンライト１は、ランプＬが天井の開口から室内を臨むように天井に埋設される照明器具である。ダウンライト１は、ランプＬが内部に配置される外装体である器具本体２と、器具本体２の内側に配置された反射体３と、ランプＬが装着されるソケット部４と、ソケット部４を支持するソケット台５と、ランプＬの口金を収納するパッキン部６とを備えている。
【００１５】
器具本体２は、略椀状に形成されている。器具本体２には、ソケット台５が延びる方向とは９０°ずれた両方向に、一方の腕部７１が頭頂部２１から胴部２２に沿って垂れ下がるように延び、他方の腕部７２が下端２３から跳ね上がるように延びる略Ｖ字状の取り付けバネ７が取り付けられている。この取り付けバネ７は、一方の腕部７１と他方の腕部７２との折れ曲がり部分が、器具本体２と天井の設置孔との間に挟まって突っ張ることで、器具本体２を天井面に固定するための取り付け金具である。
【００１６】
器具本体２の胴部２２には、ランプＬを挿通させるための円形状の孔部２４が設けられている。孔部２４は、器具本体２の胴部２２の一部をソケット部４の方向に隆起させた突設部２５に設けられている。突設部２５は、頭頂部２１から下端２３に向かうに従って徐々に隆起する度合いが小さく形成されていることで、パッキン部６の開口縁部６ａと当接する孔部２４の周縁部２４ａがパッキン部６の開口縁部６ａに対向した平坦面に形成されている。
孔部２４の周縁部２４ａは、周縁部２４ａを内径方向に所定幅に突設させて、パッキン部６の開口縁部６ａと当接する当接面２６としている。また、孔部２４の周縁部２４ａには、パッキン部６の開口縁部６ａの内側面に内接する周壁部２７が立設されている。器具本体２の下端２３には、外径方向に突設された鍔部２８が設けられている。
【００１７】
反射体３は、器具本体２より小型の略椀状に形成されている。反射体３の頭頂部には、器具本体２との隙間を確保するための突部３１（図２参照）が設けられ、ねじ止めにより器具本体２の内側に取り付けられている。反射体３は、内側面がランプＬからの光を反射する反射面に形成されている。この反射体３には、器具本体２の孔部２４の位置に対応させて、ランプＬを挿通させるための孔部３２が設けられている。反射体３の下端には、外径に向かって突設された鍔部３３が設けられている。反射体３の鍔部３３と、器具本体２の鍔部２８との間には、リングパッキン８が設けられている。
【００１８】
ソケット部４は、略円筒形状に形成され、ソケット台５に支持されている。ソケット部４は、ランプＬの口金をねじ込むことで、ランプＬに電源が供給される。
ソケット台５は、基端５１が器具本体２の頭頂部２１に固定されている。ソケット台５の先端５２は、水平方向から斜め下向きに曲げられた位置に、ソケット部４を装着するための孔部５３が設けられている。
【００１９】
パッキン部６は、器具本体２とソケット部４との間に配置されたランプＬを収納するカバーである。パッキン部６は、弾性を有する軟質のシリコンゴムにより形成され、図４に示すように、器具本体２側に位置する直径が大きい大径部６１と、ソケット部４の方向に向かうに従って直径が徐々に小さくなる縮径部６２と、ソケット部４側に位置する直径が大径部６１より小さい小径部６３とから形成されている。パッキン部６（大径部６１）の開口縁部６ａは、開口部の外径方向に所定幅ほど突設された鍔部６１ａとなっている。パッキン部６の開口縁部６ａは、軸線に直交する仮想平面に含まれる平坦面に形成されている。
なお、パッキン部６は、シリコンゴム以外でも、ブチルゴムなども使用できる。パッキン部６は、先端（開口縁部６ａ）が器具本体２に設けられた孔部２４の周縁部２４ａに押圧されて密着するよう弾性を有する軟質なものであれば、他の材質のものでも使用できる。パッキン部６は、耐熱性や耐久性の高いものが望ましい。
【００２０】
以上のように構成された本考案の実施の形態に係るダウンライト１を、天井に取り付ける方法を図面に基づいて説明する。
まず、天井から配線を取り出し、ダウンライト１のソケット台５に設けられた端子に接続する。
次に、図５に示すように、ソケット台５を斜め上方に向けた状態で、設置孔Ｈに挿入する。そして、配線を設置孔Ｈ内へ送りながら、取り付けバネ７の他方の腕部７２の広がりを狭めて、器具本体２ごと設置孔Ｈへ入れる。取り付けバネ７は、天井内で器具本体２と設置孔Ｈとの間で広がり突っ張ることで、ダウンライト１が天井内で固定される。器具本体２と設置孔Ｈとの間の隙間は、器具本体２および反射体３の鍔部２８，３３により隠れるので、室内からは見えない。
【００２１】
このように、ダウンライト１は、ソケット部４が器具本体２の取り付けられたソケット台５の先端に設けられているため、ダウンライト１を器具本体２，反射体３、ソケット台５およびソケット部４を一体とした状態で、天井に設置することができるので、施工性に優れている。
【００２２】
取り付けられたダウンライト１は、ランプＬを点灯させることで反射体３の内部空間が加熱される。また、天井Ｔに設けられていることで、室内の騒音が設置孔Ｈへ漏れることが心配される。
しかし、本実施の形態に係るダウンライト１は、気密性と防音性の向上のために、以下の構成を有している。
【００２３】
（１）ダウンライトは、上述したように、器具本体２と設置孔Ｈとの間を器具本体２の鍔部２８により隙間を塞いでいるため、室内の騒音が直接天井裏に漏れることが防止できる。
（２）ソケット部４に装着されるランプＬはパッキン部６に収納され、パッキン部６は器具本体２に接しているので、器具本体２の孔部２４を隙間無く覆った状態である。
（３）しかも、器具本体２には、孔部２４の周縁部の周囲部分をソケット部４の方向に隆起させた突設部２５が形成されているので、パッキン部６の開口縁部６ａの略円形状に対応させることができ、開口縁部６ａと当接する孔部２４の周縁部２４ａを平坦面とすることができるので、孔部２４の周縁部２４ａをパッキン部６の開口縁部６ａと当接させたときに、略椀状に形成された器具本体２であっても、密着させることができる。
（４）更に、孔部２４の周縁部２４ａが、周縁部２４ａを内径方向に所定幅に突設させた当接面２６とし、パッキン部６の開口縁部６ａが、開口部の外径方向に突設された鍔部６１ａとなっていることで、密着性が向上する。
（５）そして、孔部２４の周縁部２４ａには、パッキン部６の開口縁部６ａの内側面に内接する周壁部２７が立設されているので、パッキン部６の横ずれを抑止することができるので、横ずれによる隙間を防止することができる。
【００２４】
このように、反射体３の内側空間から器具本体２の外側空間を連通する器具本体２の孔部２４は、パッキン部６によりしっかりと閉鎖されているので、より気密性および防音性の高いダウンライト１とすることができる。
【００２５】
また、ダウンライト１は、器具本体２に理想的な椀形状を変形させる突設部２５が設けられていても、器具本体２の内側に反射体３が設けられていることにより、ランプＬからの光を所望する配光特性で反射させることができるので、気密性および防音性が良好なだけでなく、優れた配光特性の照明装置とすることができる。なお、本実施の形態では、外装体である器具本体２とは別に反射体３を設けているが、配光特性が多少劣るが器具本体２の内側面を反射面とすることで反射体３を省略することができる。
【００２６】
以上、本考案の実施の形態について説明してきたが、本考案は前記実施の形態に限定されるものではない。例えば、突設部２５の当接面２６は、孔部２４の周縁部２４ａを内径方向に突出させて形成しているが、外径方向に突出させて形成してもよい。また、パッキン部６の鍔部は開口縁部を外形方向に突出させて形成しているが、内径方向に突出させて形成してもよい。
【産業上の利用可能性】
【００２７】
本考案は、気密性および防音性を更に向上させることができるので、天井に埋め込まれるダウンライトに好適である。
【符号の説明】
【００２８】
１  ダウンライト
２  器具本体
２１  頭頂部
２２  胴部
２３  下端
２４  孔部
２４ａ  周縁部
２５  突設部
２６  当接面
２７  周壁部
２８  鍔部
３  反射体
３１  突部
３２  孔部
３３  鍔部
４  ソケット部
５  ソケット台
５１  基端
５２  先端
５３  孔部
６  パッキン部
６ａ  開口縁部
６１  大径部
６１ａ  鍔部
６２  縮径部
６３  小径部
７  取り付けバネ
７１，７２  腕部
８  リングパッキン
Ｌ  ランプ
Ｔ  天井
Ｈ  設置孔
【図１】
0003156710.tif 000003
【図２】
0003156710.tif 000004
【図３】
0003156710.tif 000005
【図４】
0003156710.tif 000006
【図５】
0003156710.tif 000007